(57)【要約】【課題】単体で構成され、汎用のネジ取付けタイプのスイッチに使用することができ、パネルへの取付けが容易なスイッチ取付具を提供することを目的とする。【解決手段】上部に鍔部１ａを有する略筒形状のハウジング１ｂからなり、このハウジング１ｂの内側面にネジ山１ｄが形成され、外側面の対向する位置に少なくとも一対の板バネ１ｃが形成されるとともに、ハウジング１ｂ側壁を貫通する貫通孔１ｇが形成され、この貫通孔１ｇにパネル３への固定時にスイッチ２のブッシング２ａに形成されたキー溝２ｃと係合する固定部材１ｆが配設される。【選択図】図１
2013080571.tif 000002
【特許請求の範囲】
【請求項１】
上部に鍔部を有する略筒形状のハウジングからなり、該ハウジングの内側面にネジ山が形成され、外側面の対向する位置に少なくとも一対の板バネが形成されるとともに、ハウジング側壁を貫通する貫通孔が形成され、該貫通孔にパネルへの固定時にスイッチのブッシングに形成されたキー溝と係合する固定部材が配設されたことを特徴とするスイッチ取付具。
【請求項２】
請求項１記載のスイッチにおいて、前記スイッチ取付具は前記パネルに形成された取付孔から前記ブッシングを突出させた状態で前記スイッチに螺合され、前記スイッチ取付具を前記パネル方向へ押圧することで前記ハウジングが前記パネル内に押し込まれ前記鍔部と前記板バネが前記パネルを挟持するとともに、前記固定部材が前記取付孔側面と当接して前記ブッシング方向へ押し込まれることで前記キー溝に係合されて、前記スイッチが前記パネルに固定されることを特徴とするスイッチ取付具。
【請求項３】
請求項１記載のスイッチにおいて、前記固定部材を前記ハウジングと一体的に形成したことを特徴とするスイッチ取付具。
【発明の詳細な説明】
【技術分野】
【０００１】
本発明は、ネジ取付けタイプのスイッチをパネルに容易に取付け可能とするスイッチ取付具に関するものである。
【背景技術】
【０００２】
従来のパネルにスイッチを取付ける手段は、スイッチにネジ山を設けナットでパネルを挟み込んで締め付けるネジ取付けタイプのものや、スイッチに取付バネを設けパネル前面から嵌め込むものが一般的であった。
また、汎用のネジ取付けタイプのスイッチに使用でき、パネルへの取付けが容易なスイッチ取付具（下記特許文献１参照）があった。
【先行技術文献】
【特許文献】
【０００３】
【特許文献１】特開２０１０−２０５６３７号
【発明の概要】
【発明が解決しようとする課題】
【０００４】
しかしながら、上記した従来のスイッチ取付け手段は、ネジ取付けタイプは２枚のナットでパネルを挟み込み、ナットを締め付けて固定するため、パネルの裏側でナットを締め付ける場合には作業性が悪く、パネルの表側でナットを締め付ける場合にはパネルに傷がつく恐れがあるといった問題があった。さらに、取付けには工具が必要となるため締め付けトルクの管理などが必要であった。また、取付バネによる取付けは、そのスイッチ固有のものであって、予めスイッチ本体に取付機構を設ける必要があり、汎用のネジ取付けタイプのスイッチに使用することはできなかった。また、前記課題を解決することを目的とした特許文献１は、部品点数が多いため、ネジ取付けタイプより作業性は改善されるが取付手順や部品管理などの煩わしさがあった。
【０００５】
そこで本発明は、上記状況に鑑みて、単体で構成され、汎用のネジ取付けタイプのスイッチに使用でき、パネルへの取付けが容易なスイッチ取付具を提供することを目的とする。
【課題を解決するための手段】
【０００６】
本発明は、上記目的を達成するために、
〔１〕上部に鍔部（１ａ）を有する略筒形状のハウジング（１ｂ）からなり、このハウジング（１ｂ）の内側面にネジ山（１ｄ）が形成され、外側面の対向する位置に少なくとも一対の板バネ（１ｃ）が形成されるとともに、ハウジング（１ｂ）側壁を貫通する貫通孔（１ｇ）が形成され、この貫通孔（１ｇ）にパネル（３）への固定時にスイッチ（２）のブッシング（２ａ）に形成されたキー溝（２ｃ）と係合する固定部材（１ｆ）が配設されたことを特徴とする。
〔２〕上記〔１〕記載のスイッチ取付具において、前記スイッチ取付具（１）は前記パネル（３）に形成された取付孔（３ａ）から前記ブッシング（２ａ）を突出させた状態で前記スイッチ（２）に螺合され、前記スイッチ取付具（１）を前記パネル（３）方向へ押圧することで前記ハウジング（１ｂ）が前記パネル（３）内に押し込まれ前記鍔部（１ａ）と前記板バネ（１ｃ）が前記パネル（３）を挟持するとともに、前記固定部材（１ｆ）が前記取付孔（３ａ）側面と当接して前記ブッシング（２ａ）方向へ押し込まれることで前記キー溝（２ｃ）に係合されて、前記スイッチ（２）が前記パネル（３）に固定されることを特徴とする。
〔３〕上記〔１〕記載のスイッチ取付具において、前記固定部材（１ｆ）を前記ハウジング（１ｂ）と一体的に形成したことを特徴とする。
【発明の効果】
【０００７】
本発明によれば、次のような効果を奏することができる。
（１）スイッチ取付具単体で構成されるため、部品管理や取付手順の煩わしさがなく容易に取付けることができる。
（２）スイッチに螺合するので、汎用のネジ取付けタイプのスイッチに使用することができる。
（３）パネル表面に傷をつけることなくスイッチを取付けることできる。
（４）工具が不要であるため、容易に取付けることができる。
（５）取付けが容易にできるため、取付けに要する工数を削減することができる。
（６）板バネにより、多様なパネル厚に対応することができる。
（７）ハウジングの鍔部は様々な形状や色に変更可能なため、パネルのデザイン性を向上させることができる。
（８）ブッシングの寸法およびネジ山にあわせて内径とネジ山を変更すれば、多様なスイッチの取付けに対応することができる。
【図面の簡単な説明】
【０００８】
【図１】本発明の実施例を表すスイッチ取付具の斜視図である。
【図２】本発明の実施例を表すスイッチ取付具の図である。
【図３】本発明の実施例を表すスイッチ取付具をパネルに取付けるときのスイッチ取付具のスイッチに対する動作を示す図である。
【図４】本発明の実施例を表すスイッチ取付具をパネルに取付けるときのスイッチ取付具のパネルに対する動作を示す図である。
【発明を実施するための形態】
【０００９】
本発明は、パネルの取付孔から突出させたスイッチのブッシングにスイッチ取付具を螺合し、スイッチ取付具をパネル方向へ押し込むことによってパネルにスイッチを固定することができる構成とする。よって、ネジ取付けタイプのスイッチを容易にパネルに取付けることができる。
【実施例】
【００１０】
以下、本発明の実施例について、図面を参照しながら詳細に説明する。
【００１１】
図１は本発明の実施例を表すスイッチ取付具の斜視図、図２は本発明の実施例を表すスイッチ取付具の図であり、図２（ａ）は平面図を、図２（ｂ）は底面図を、図２（ｃ）は正面図を、図２（ｄ）は側面図を、図２（ｅ）は底面要部断面図を、図２（ｆ）は側面断面図を示している。図３は本発明の実施例を表すスイッチ取付具をパネルに取付けるときのスイッチ取付具のスイッチに対する動作を示す図であり、図３（ａ）はパネルに形成される取付孔の形状を、図３（ｂ）はスイッチの平面図を、図３（ｃ）はスイッチ取付具をスイッチに装着する前の状態を、図３（ｄ）はスイッチ取付具をスイッチに装着した状態を、図３（ｅ）はスイッチ取付具がパネルに固定された状態を示している。図４は本発明の実施例を表すスイッチ取付具をパネルに取付けるときのスイッチ取付具のパネルに対する動作を示す図であり、図４（ａ）はスイッチ取付具をスイッチに装着する前の状態を、図４（ｂ）はスイッチ取付具をスイッチに装着した状態を、図４（ｃ）はスイッチ取付具がパネルに固定された状態を示している。
【００１２】
これらの図において、１はスイッチ取付具、２はスイッチ、３はパネルである。スイッチ取付具１は、上部に鍔部１ａが形成された略筒形状のハウジング１ｂからなり、ハウジング１ｂの外側面の対向する位置に一対の板バネ１ｃが形成され、内側面にはネジ山１ｄが形成されている。板バネ１ｃが形成されていない外側面に突起部１ｅが形成され、突起部１ｅの対向する位置にハウジング１ｂ側壁を貫通する貫通孔１ｇが形成され、この貫通孔１ｇ内に固定部材１ｆが連結部１ｈを介してハウジング１ｂに一体的に形成されている。固定部材１ｆは、連結部１ｈを支点としてハウジング１ｂの内側方向に傾動することができる。
【００１３】
以上のように構成された本発明のスイッチ取付具は、図３および図４に示すように、スイッチ２のブッシング２ａをパネル３に形成された取付孔３ａの下方から突出させた状態でブッシング２ａに形成されたネジ山２ｂとハウジング１ｂに形成されたネジ山１ｄの螺合によりスイッチ２に装着される。このとき、固定部材１ｆの位置とブッシング２ａに形成されたキー溝２ｃの位置が合致するように装着する。スイッチ取付具１をパネル３の下方へ押し込むと、ハウジング１ｂが取付孔３ａからパネル３下方へ押し込まれ、鍔部１ａがパネル３上面に当接し、鍔部１ａと板バネ１ｃによってパネル３を挟持することでスイッチ２がパネル３に固定される。このとき、取付孔３ａに形成された切欠部３ｂとハウジング１ｂに形成された突起部１ｅが係合されることによりスイッチ取付具１の回転が抑止されるとともに、固定部材１ｆが取付孔３ａの側面と当接してハウジング１ｂの内側に押し込まれて傾き、固定部材１ｆとキー溝２ｃが係合されることによりスイッチ２の回転が抑止される。
【００１４】
このように、本実施例に示すスイッチ取付具は、パネル３の取付孔３ａの下方から突出させたスイッチ２のブッシング２ａにスイッチ取付具１を螺合により装着し、スイッチ取付具１をパネル３下方に押し込むことによってパネル３にスイッチ２を回転しないように固定することができるため、ネジ取付けタイプのスイッチをパネルに容易に取付けることができるという特徴を有している。また、板バネにより従来のネジ取付けと同様に多様なパネル厚に対応できるという特徴も有している。
【００１５】
本実施例では、鍔部を円形としたが、四角形やその他の形状としてもよく、パネルへの取付強度を向上させるために板バネの数を増加してもよい。また、固定部材をハウジングに一体成形としたが、金属などで形成し接着や圧着などでハウジングに固定してもよい。また、パネルの取付孔を丸孔として切欠部を設け、ハウジングの突起部との係合によりスイッチ取付具の回転止めとしたが、取付孔を丸孔の一部を直線としたシェル形状とし、ハウジングをそのシェル形状に合わせた形状にすることで回転止めとしてもよい。さらに、スイッチはトグルスイッチ以外の押ボタンスイッチなどにも利用可能であって、種々の方法が考えられる。
【００１６】
なお、本発明は上記の実施例に限定されるものではなく、本発明の趣旨に基づき種々の変形が可能であり、これらを本発明の範囲から排除するものではない。
【産業上の利用可能性】
【００１７】
本発明のスイッチ取付具は、汎用のネジ取付けタイプのスイッチをパネルに容易に取付けることができるスイッチ取付具として利用可能である。
【符号の説明】
【００１８】
１    スイッチ取付具
１ａ  鍔部
１ｂ  ハウジング
１ｃ  板バネ
１ｄ  ネジ山
１ｅ  突起部
１ｆ  固定部材
１ｇ  貫通孔
１ｈ  連結部
２    スイッチ
２ａ  ブッシング
２ｂ  ネジ山
２ｃ  キー溝
３    パネル
３ａ  取付孔
３ｂ  切欠部
【図１】
2013080571.tif 000003
【図２】
2013080571.tif 000004
【図３】
2013080571.tif 000005
【図４】
2013080571.tif 000006